(57)【特許請求の範囲】
【請求項１】
階層の数の情報を含むダウンリンク制御情報を伝送する段階と、
前記ダウンリンク制御情報に基づいて、少なくとも１つのユーザ端末（Ｕｓｅｒ  Ｅｑｕｉｐｍｅｎｔ、ＵＥ）特定基準信号（ｓｐｅｃｉｆｉｃ  Ｒｅｆｅｒｅｎｃｅ  Ｓｉｇｎａｌ、ｓｐｅｃｉｆｉｃ  ＲＳ）と物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）でデータを伝送する段階と、
前記ＵＥ特定基準信号の数は、階層の数に対応し、
前記ＵＥ特定基準信号を含む直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル内における前記階層の数を把握できる場合、前記ＵＥ特定基準信号の値γは、数式
【数１】
0006618111.tif 000036
を用いて計算し、
前記数式におけるＮ＿ＤＲＳは、階層の数であり、Ｎ＿ＳＦは、ワルシコード拡散長さであり、前記ＵＥ特定基準信号は、少なくとも１つの多重化符号によってコード分割多重化（Ｃｏｄｅ  ｄｉｖｉｓｉｏｎ  ｍｕｌｔｉｐｌｅｘｉｎｇ）される、無線信号の伝送方法。
【請求項２】
前記階層の数が２より大きく、４以下である場合、各ＯＦＤＭシンボル内に含まれた前記ＰＤＳＣＨリソース要素当たりのエネルギーと、前記ＵＥ特定基準信号のリソース要素当たりのエネルギーとの比は、−３ｄＢである、請求項１記載の無線信号の伝送方法。
【請求項３】
前記少なくとも１つの多重化コード情報は、ダウンリンク制御情報によって、基地局から前記ＵＥに伝送される、請求項１記載の無線信号の伝送方法。
【請求項４】
無線信号を伝送するための基地局装置において、
ユーザ端末（Ｕｓｅｒ  Ｅｑｕｉｐｍｅｎｔ、ＵＥ）特定基準信号（ｓｐｅｃｉｆｉｃ  Ｒｅｆｅｒｅｎｃｅ  Ｓｉｇｎａｌ、ｓｐｅｃｉｆｉｃ  ＲＳ）を含む各直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル内における物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）リソース要素当たりのエネルギー（Ｅｎｅｒｇｙ  Ｐｅｒ  Ｒｅｓｏｕｒｃｅ  Ｅｌｅｍｅｎｔ、ＥＰＲＥ）と、前記ＵＥ特定基準信号のエネルギーとの比を決定するための制御部と、
前記決定された、ＰＤＳＣＨリソース要素当たりのエネルギーと、ＵＥ特定基準信号のリソース要素当たりのエネルギーとの比によって、ＵＥ特定基準信号を伝送する通信部とを含み、
前記各ＯＦＤＭシンボル内に含まれた前記ＰＤＳＣＨリソース要素当たりのエネルギーと、前記ＵＥ特定基準信号のリソース要素当たりのエネルギーとの比は、階層の数によって決定され、前記ＵＥ特定基準信号は、少なくとも１つの多重化符号によってコード分割多重化（Ｃｏｄｅ  ｄｉｖｉｓｉｏｎ  ｍｕｌｔｉｐｌｅｘｉｎｇ）される、無線信号を伝送するための基地局装置。
【請求項５】
前記階層の数を把握できる場合、前記ＵＥ特定基準信号の値γは、数式
【数２】
0006618111.tif 000037
を用いて計算し、
前記数式におけるＮ＿ＤＲＳは、階層の数であり、Ｎ＿ＳＦは、ワルシコード拡散長さであり、
前記階層の数が２より大きく、４以下である場合、各ＯＦＤＭシンボル内に含まれた前記ＰＤＳＣＨリソース要素当たりのエネルギーと、前記ＵＥ特定基準信号のリソース要素当たりのエネルギーとの比は、−３ｄＢである、請求項４記載の無線信号を伝送するための基地局装置。
【請求項６】
前記少なくとも１つの多重化コード情報は、ダウンリンク制御情報によって、基地局から前記ＵＥに伝送される、請求項４記載の無線信号を伝送するための基地局装置。
【請求項７】
ユーザ端末における無線通信信号の受信方法において、
階層の数の情報を含むダウンリンク制御情報を受信する段階と、
前記ダウンリンク制御情報に基づいて、ユーザ端末（Ｕｓｅｒ  Ｅｑｕｉｐｍｅｎｔ、ＵＥ）特定基準信号（ｓｐｅｃｉｆｉｃ  Ｒｅｆｅｒｅｎｃｅ  Ｓｉｇｎａｌ、ｓｐｅｃｉｆｉｃ  ＲＳ）及び物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）でデータを受信する段階とを含み、
前記ＵＥ特定基準信号を含む直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル内における前記階層の数を把握できる場合、前記ＵＥ特定基準信号の値γは、数式
【数３】
0006618111.tif 000038
を用いて計算し、
前記数式におけるＮ＿ＤＲＳは、階層の数であり、Ｎ＿ＳＦは、ワルシコード拡散長さであり、前記ＵＥ特定基準信号は、少なくとも１つの多重化符号によってコード分割多重化（Ｃｏｄｅ  ｄｉｖｉｓｉｏｎ  ｍｕｌｔｉｐｌｅｘｉｎｇ）される、ユーザ端末における無線通信信号の受信方法。
【請求項８】
前記階層の数が２より大きく、４以下である場合、前記各ＯＦＤＭシンボル内に含まれた前記ＰＤＳＣＨリソース要素当たりのエネルギーと、前記ＵＥ特定基準信号のリソース要素当たりのエネルギーとの比は、−３ｄＢである、請求項７記載のユーザ端末における無線通信信号の受信方法。
【請求項９】
ユーザ端末で無線通信信号を受信するための方法において、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）リソース要素当たりのエネルギー（Ｅｎｅｒｇｙ  Ｐｅｒ  Ｒｅｓｏｕｒｃｅ  Ｅｌｅｍｅｎｔ、ＥＰＲＥ）と、ユーザ端末（Ｕｓｅｒ  Ｅｑｕｉｐｍｅｎｔ、ＵＥ）特定基準信号（ｓｐｅｃｉｆｉｃ  Ｒｅｆｅｒｅｎｃｅ  Ｓｉｇｎａｌ、ｓｐｅｃｉｆｉｃ  ＲＳ）を含む各直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル内におけるＵＥ特定基準信号のリソース要素当たりのエネルギーとの比を識別する段階と、
前記識別された、ＰＤＳＣＨリソース要素当たりのエネルギーと、ＵＥ特定基準信号のリソース要素当たりのエネルギーとの比によって、ＵＥ特定基準信号を受信する段階とを含み、
前記ＰＤＳＣＨリソース要素当たりのエネルギーと、前記各ＯＦＤＭシンボル内に含まれたＵＥ特定基準信号のリソース要素当たりのエネルギーとの比は、階層の数によって決定され、前記ＵＥ特定基準信号は、［１、１］［１、−１］のうち１つでコード分割多重化され、前記ＵＥ特定基準信号は、少なくとも１つの多重化符号によってコード分割多重化（Ｃｏｄｅ  ｄｉｖｉｓｉｏｎ  ｍｕｌｔｉｐｌｅｘｉｎｇ）される、無線信号の受信方法。
【請求項１０】
前記階層の数を把握できる場合、前記ＵＥ特定基準信号の値γは、数式
【数４】
0006618111.tif 000039
を用いて計算し、
前記数式におけるＮ＿ＤＲＳは、階層の数であり、Ｎ＿ＳＦは、ワルシコード拡散長さであり、
前記階層の数が２より大きく、４以下である場合、前記各ＯＦＤＭシンボル内に含まれた前記ＰＤＳＣＨリソース要素当たりのエネルギーと、前記ＵＥ特定基準信号のリソース要素当たりのエネルギーとの比は、−３ｄＢである、請求項９記載の無線信号の受信方法。
【請求項１１】
前記少なくとも１つの多重化コード情報は、ダウンリンク制御情報によって、基地局から端末に伝送された情報として識別される、請求項９記載の無線信号の受信方法。
【請求項１２】
無線通信信号を受信するためのユーザ端末装置において、
物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）リソース要素当たりのエネルギー（Ｅｎｅｒｇｙ  Ｐｅｒ  Ｒｅｓｏｕｒｃｅ  Ｅｌｅｍｅｎｔ、ＥＰＲＥ）と、ユーザ端末（Ｕｓｅｒ  Ｅｑｕｉｐｍｅｎｔ、ＵＥ）特定基準信号（ｓｐｅｃｉｆｉｃ  Ｒｅｆｅｒｅｎｃｅ  Ｓｉｇｎａｌ、ｓｐｅｃｉｆｉｃ  ＲＳ）を含む各直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル内におけるＵＥ特定基準信号のリソース要素当たりのエネルギーとの比を識別するための制御部と、
前記識別された、ＰＤＳＣＨリソース要素当たりのエネルギーと、ＵＥ特定基準信号のリソース要素当たりのエネルギーとの比によって、ＵＥ特定基準信号を受信する通信部とを含み、
前記ＰＤＳＣＨリソース要素当たりのエネルギーと、前記各ＯＦＤＭシンボル内に含まれたＵＥ特定基準信号のリソース要素当たりのエネルギーとの比は、階層の数によって決定され、前記ＵＥ特定基準信号は、［１、１］［１、−１］のうち１つでコード分割多重化され、前記ＵＥ特定基準信号は、少なくとも１つの多重化符号によってコード分割多重化（Ｃｏｄｅ  ｄｉｖｉｓｉｏｎ  ｍｕｌｔｉｐｌｅｘｉｎｇ）される、無線信号を受信するためのユーザ端末装置。
【請求項１３】
前記階層の数を把握できる場合、前記ＵＥ特定基準信号の値γは、数式
【数５】
0006618111.tif 000040
を用いて計算し、
前記数式におけるＮ＿ＤＲＳは、階層の数であり、Ｎ＿ＳＦは、ワルシコード拡散長さであり、
前記階層の数が２より大きく、４以下である場合、前記各ＯＦＤＭシンボル内に含まれた前記ＰＤＳＣＨリソース要素当たりのエネルギーと、前記ＵＥ特定基準信号のリソース要素当たりのエネルギーとの比は、−３ｄＢである、請求項１２記載の無線信号を受信するためのユーザ端末装置。
【請求項１４】
前記少なくとも１つの多重化コード情報は、基地局から、ダウンリンク制御情報によって伝送されて識別される、請求項１２記載の無線信号を受信するためのユーザ端末装置。
【発明の詳細な説明】
【技術分野】
【０００１】
本発明は、多重ユーザ多重入力多重出力（ＭＵ−ＭＩＭＯ；Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）無線通信システムに関する。より詳細には、本発明は、ＭＵ−ＭＩＭＯ無線通信システムでダウンリンク制御情報（ＤＣＩ；Ｄｏｗｎｌｉｎｋ  Ｃｏｎｔｒｏｌ  Ｉｎｆｏｒｍａｔｉｏｎ）を提供するための装置及び方法に関する。
【背景技術】
【０００２】
無線移動通信市場の急激な成長は、無線通信環境で多様なマルチメディアサービスに対する要求の増加をもたらした。最近、このような大容量の伝送データ及び増加されたデータ伝送率を含む、マルチメディアサービスを提供するために、制限された周波数をさらに効果的に使用することができるように提供するＭＩＭＯ（Ｍｕｌｔｉｐｌｅ  Ｉｎｐｕｔ  Ｍｕｌｔｉｐｌｅ  Ｏｕｔｐｕｔ）無線通信システムに対する研究が進行されている。
【０００３】
ＭＩＭＯ無線通信システムは、アンテナ当たり独立されたチャネルを通じて信号を伝送することによって、ＳＩＳＯ（Ｓｉｎｇｌｅ−Ｉｎｐｕｔ  Ｓｉｎｇｌｅ−Ｏｕｔｐｕｔ）システムと比較した時、追加伝送パワーが要請されず、追加周波数を使用しなくても、伝送信頼度及びデータ処理量が増加する。さらに、ＭＩＭＯ無線通信システムは、ＭＩＭＯシステムで複数のユーザを支援する多重ユーザ（ＭＵ）環境に拡張することができる。このようなＭＵ−ＭＩＭＯシステムは、複数のユーザが多重のアンテナによって保証された分割された資源を共有することができるようにして、さらに向上したスペクトル効率を有する。
【０００４】
ＭＵ−ＭＩＭＯを採択した次世代通信システムで、約１００Ｍｂｐｓのデータ伝送速度と共に多様なＱｏＳ（サービス性能、Ｑｕａｌｉｔｙ  ｏｆ  Ｓｅｒｖｉｃｅｓ）を提供することを発展させるための研究が活発に進行中にある。このような通信システムが提供された例は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６システムと３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）標準である。ＩＥＥＥ８０２．１６システム及びＬＴＥ標準は、いずれも直交周波数分割多重化／直交周波数分割多重接続（ＯＦＤＭ／ＯＦＤＭＡ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ／Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）スキーム（ｓｃｈｅｍｅ）を採択し、広帯域ネットワークは、物理チャネルで支援される。
【０００５】
図１及び図２は、従来技術によってＯＦＤＭを採択した無線通信システムのダウンリンクフレームの一般的な構造を示す図である。
【０００６】
図１を参照すれば、ＯＦＤＭダウンリンクで使用される一般的なフレーム構造は、０．５ｍｓの２０個の均等なスロット１０３に分割された１０ｍｓ無線フレーム（ｒａｄｉｏ  ｆｒａｍｅ）１０１を含む。サブフレーム１０５は、２個の連続されたスロットで構成され、１つのフレームは、１０個のサブフレームを含む。
【０００７】
図２を参照すれば、１つのダウンリンクスロット１０３期間（持続期間）に対するリソースグリッドの一般的な構造が示された。活用可能なダウンリンク帯域は、１５ｋＨｚを占有する
【０００８】
【数１】
0006618111.tif 000002
【０００９】
サブキャリアで構成される。
【００１０】
【数２】
0006618111.tif 000003
【００１１】
の値は、拡張可能な（ｓｃａｌａｂｌｅ）帯域運営を許容するために、２０ＭＨｚまで変更されることができる。また、１つのダウンリンクスロットは、
【００１２】
【数３】
0006618111.tif 000004
【００１３】
シンボルよりなり、各シンボルは、循環前置（ＣＰ、Ｃｙｃｌｉｃ  Ｐｒｅｆｉｘ）の長さによる
【００１４】
【数４】
0006618111.tif 000005
【００１５】
の値である保護時間（ｇｕａｒｄ  ｔｉｍｅ）として付着されるＣＰを含む。図１ａ及び図１ｂに示されたように、一般ＣＰ長さを有する一般的なフレーム構造は、
【００１６】
【数５】
0006618111.tif 000006
【００１７】
シンボルを有する。
【００１８】
ＯＦＤＭ技術を採択した無線通信システムで、データは、リソースブロック１０９の資源要素（ＲＥｓ、Ｒｅｓｏｕｒｃｅ  Ｅｌｅｍｅｎｔｓ）１０７を利用して移動端末（ＭＳ、Ｍｏｂｉｌｅ  Ｓｔａｔｉｏｎ）に割り当てられる。図２を参照すれば、リソースブロック１０９は、時間領域で連続されたシンボル
【００１９】
【数６】
0006618111.tif 000007
【００２０】
及び周波数領域で連続された１２個のサブキャリアで構成される。要求されるデータ率によれば、各移動端末は、１ｍｓの各伝送間隔で（例えば、２スロットまたは１サブフレーム）１つ以上のリソースブロックが割り当てられ、このようなリソース割り当ては、基地局（ＢＳ、Ｂａｓｅ  Ｓｔａｔｉｏｎ）によって行われる。ユーザデータは、ダウンリンク共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）に運搬され、個別移動端末に対するスケジューリングを決定するための調査のために使用されるダウンリンク制御シグナリングは、ダウンリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）に運搬される。ＰＤＣＣＨは、スロットの一番目のＯＦＤＭシンボルに位置する。
【００２１】
ＯＦＤＭ技術の１つの特徴は、各移動端末に対するリソースブロック内で提供されるレファレンス信号の使用である。レファレンス信号は、移動性測定、隣接セルモニタリング、チャネル推定、セル探索などのために移動端末により使用される。さらに、レファレンス信号の類型は、セル識別レファレンス信号（ＣＲＳ；Ｃｅｌｌ−ｓｐｅｃｉｆｉｃ  Ｒｅｆｅｒｅｎｃｅ  Ｓｉｇｎａｌ）及び専用レファレンス信号（ＤＲＳ；Ｄｅｄｉｃａｔｅｄ  Ｒｅｆｅｒｅｎｃｅ  Ｓｉｇｎａｌ）として知られた、移動端末識別信号を含む。
【００２２】
図３〜図９は、従来技術による１アンテナ、２アンテナ及び４アンテナ構成を使用するダウンリンクＣＲＳを示す図である。
【００２３】
図３〜図９を参照すれば、あらかじめ定められたＲＥは、アンテナの数によってＣＲＳシーケンスを伝送するのに使用される。図３に示された単一アンテナシステムにおいて、ＣＲＳは、時間領域で、各スロットの０番目及び４番目シンボルと関連したＲＥに位置する。周波数領域で、ＣＲＳは、各６番目サブキャリアに関連したＲＥに位置し、シンボル間の３サブキャリアの時差を置く。図４〜図９の２個及び４個のアンテナシステムで、ＣＲＳは、単一アンテナシステムと類似の方式によるＲＥに位置する。これは、異なるアンテナに対するＣＲＳ間の３サブキャリアのオフセットを有する。さらに、２アンテナシステム（図４及び図９）及び４アンテナシステム（図６〜図９）を参照すれば、ＲＥは、他のアンテナで伝送のために使用されない１つのアンテナのＣＲＳ伝送のために使用される。
【００２４】
図１０は、従来技術によってＯＦＤＭ技術を採択した無線通信システムでダウンリンクＤＲＳを示す図である。
【００２５】
図１０を参照すれば、要素（Ｒ５）によって指示されるＤＲＳパターンが４アンテナシステムの番号が付かないＣＲＳとともにリソースブロック対が示された。リソースブルロック対当たり８ＲＥを使用するＣＲＳとは異なって、ＤＲＳは、リソースブロック対内の１２ＲＥを使用する。ＤＲＳは、ＰＤＳＣＨの１アンテナ伝送を支援し、移動端末は、ＤＲＳの存在有無を、上位階層を通じて情報を提供される。さらに、ＤＲＳは、対応するＰＤＳＣＨがマッピングされたリソースブロックに運搬されて伝送される。ＰＤＳＣＨとアンテナポートは、同一のプリコーディングを使用する。
【００２６】
個別移動端末に対するスケジューリングを決定するための調査のために使用されるダウンリンク制御シグナリングは、ＰＤＣＣＨに運搬される。ＰＤＣＣＨは、スロットの一番目のＯＦＤＭシンボルに位置する。ＰＤＣＣＨに運搬される情報は、ダウンリンク制御情報（ＤＣＩ）で表される。制御メッセージの目的によって、ＤＣＩは、異なる形式で定義される。さらに詳細には、３ＧＰＰ技術明細書（ＴＳ；Ｔｅｃｈｎｉｃａｌ  Ｓｐｅｃｉｆｉｃａｔｉｏｎ）３６．２１２は、スケジューリングの時間で通信システムの異なる要求に基礎したＤＣＩの多様な形式について定義する。例えば、ＤＣＩフォーマット０は、アップリンク共有チャネル（ＰＵＳＣＨ；Ｐｈｙｓｉｃａｌ  Ｕｐｌｉｎｋ  Ｓｈａｒｅｄ  Ｃｈａｎｎｅｌ）のスケジューリングのために使用され、ＤＣＩフォーマット１は、１つのＰＤＳＣＨコードワード（ｃｏｄｅｗｏｒｄ）のスケジュールのために使用される。ＴＳ ３６．２１２には、１０個のＤＣＩフォーマット（例えば、フォーマット０、１、１Ａ、１Ｂ、１Ｃ、１Ｄ、２、２Ａ、３及び３Ａ）があり、各ＤＣＩフォーマットは、レファレンス信号とともに基地局により伝送されるデータを受信するために使用される多様な情報を含む。
【００２７】
無線通信システムに関する技術が発展し続けることに伴い、大容量のデータの伝送及び受信に関して向上が可能となった。このような向上は、たびたび基地局から移動端末に追加または異なる制御情報を伝送することが要求される。したがって、このようなものは、無線通信システムで、制御情報を提供し、使用するための向上した装置及び方法が要求される。
【発明の概要】
【発明が解決しようとする課題】
【００２８】
本発明の一態様は、少なくとも前述した問題及び／または利得を提示するためのものであり、 少なくとも後述する利得を提供するためのものである。したがって、本発明の一態様は、ＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）移動通信システムで、制御情報を利用して提供する向上した装置及び方法を提供するためのものである。
【課題を解決するための手段】
【００２９】
本発明の一態様によれば、端末により無線通信信号を受信するための方法が提供される。この方法は、ダウンリンク制御情報（ＤＣＩ）を含む複数のリソース要素（ＲＥ）を受信する段階と、ダウンリンク制御情報を利用して、複数のダウンリンクレファレンス信号（ＤＲＳ）がマッピングされた１つ以上のリソース要素セットを判別する段階と、残っているリソース要素をデータがマッピングされたリソース要素として判別する段階と、端末に対応する専用レファレンス信号のプリコーディングベクトルを利用してデータを復調する段階とを備える。
【００３０】
本発明の他の態様によれば、基地局による無線通信信号を伝送するための方法が提供される。この方法は、複数の専用レファレンス信号（ＤＲＳ；Ｄｅｄｉｃａｔｅｄ  Ｒｅｆｅｒｅｎｃｅ  Ｓｉｇｎａｌｓ）をコード分割多重化し、多重化された専用レファレンス信号を１つ以上のリソース要素（ＲＥ；Ｒｅｓｏｕｒｃｅ  Ｅｌｅｍｅｎｔ）セット各々にマッピングする段階と、１つ以上のリソース要素セットを除いたリソース要素にデータをマッピングする段階と、１つ以上のリソース要素セット、データリソース要素及びダウンリンク制御情報（ＤＣＩ；Ｄｏｗｎｌｉｎｋ  Ｃｏｎｔｒｏｌ  Ｉｎｆｏｒｍａｔｉｏｎ）を含むリソース要素を含む複数のリソース要素を伝送する段階と、を備え、前記ダウンリンク制御情報は、前記専用レファレンス信号の多重化のために使用される拡散コードインデックスを含む。
【００３１】
本発明の他の態様によれば、端末による無線通信信号を受信するための方法が提供される。この方法は、ダウンリンク制御情報（ＤＣＩ）を含む複数のリソース要素（ＲＥ）を受信する段階と、ダウンリンク制御情報を利用して、複数のダウンリンクレファレンス信号（ＤＲＳ）がマッピングされた１つ以上のリソース要素セットを判別する段階と、残っているリソース要素をデータがマッピングされたリソース要素として判別する段階と、ダウンリンク制御情報に含まれた拡散インデックスを利用してデータを逆拡散する段階と、端末に対応する専用レファレンス信号のプリコーディングベクトルを利用してデータを復調する段階とを備える。
【００３２】
本発明の他の態様によれば、端末による無線通信信号を受信するための方法が提供される。この方法は、ダウンリンク制御情報（ＤＣＩ）を含む複数のリソース要素（ＲＥ）を受信する段階と、ダウンリンク制御情報内のダウンリンクパワーオフセットフィールドを利用して各リソース要素にマッピングされたダウンリンクレファレンス信号の数を判別する段階と、残っているリソース要素をデータがマッピングされたリソース要素として判別する段階と、端末に対応する専用レファレンス信号のプリコーディングベクトルを利用してデータを復調する段階とを備える。
【００３３】
本発明の他の態様によれば、基地局により無線通信信号を伝送するための方法が提供される。この方法は、複数の専用レファレンス信号をリソース要素（ＲＥ；Ｒｅｓｏｕｒｃｅ  Ｅｌｅｍｅｎｔ）各々にマッピングする段階と、各専用レファレンス信号にマッピングされたリソース要素を除いたリソース要素にデータをマッピングする段階と、専用レファレンス信号が各々マッピングされたリソース要素、データリソース要素及びダウンリンク制御情報（ＤＣＩ；Ｄｏｗｎｌｉｎｋ  Ｃｏｎｔｒｏｌ  Ｉｎｆｏｒｍａｔｉｏｎ）を含むリソース要素を含む複数のリソース要素を伝送する段階とを備え、前記ダウンリンク制御情報は、リソース要素に各々マッピングされた専用レファレンス信号の数を示すためのダウンリンクパワーオフセットフィールドを含む。
【００３４】
本発明の他の態様によれば、基地局による無線通信信号のダウンリンクパワー制御のための方法が提供される。この方法は、基地局により伝送される専用レファレンス信号の数を決定する段階と、専用レファレンス信号の数を決定するのに使用されるパワーオフセットの値を決定する段階とを含む。
【００３５】
本発明の他の態様によれば、この方法は、端末により伝送されるリソース要素のパワー比率を決定するための方法を提供する。この方法は、リソース要素を変調するために使用された変調方法の種類を判別する段階と、前記変調方法の種類が時分割多重化（ＴＤＭ）及び周波数分割多重化（ＦＤＭ）のうち１つとして判別されれば、基地局により伝送された専用レファレンス信号（ＤＲＳ）の数を把握することができるか否かを判別する段階と、前記伝送された専用レファレンス信号の数を把握することができれば、前記伝送された専用レファレンス信号の数に対応してパワー比率を設定する段階と、伝送された専用レファレンス信号の数を把握することができなければ、伝送された専用レファレンス信号の最大数を把握することができるか否かを判別する段階と、を含む。
【００３６】
本発明の他の態様、利得及び核心的な構成は、本発明の属する技術分野における通常の知識を有する者に添付の図面を参照して本発明の実施例を説明する下記の詳細な説明によってさらに明確になる。
【００３７】
本発明の前述した他の態様、利得及び核心的な構成は、本発明の属する技術分野における通常の知識を有する者に添付の図面を参照して本発明の実施例を説明する下記の詳細な説明によってさらに明確になる。
【図面の簡単な説明】
【００３８】
【図１】従来技術によってＯＦＤＭを採択した無線通信システムのダウンリンクフレームの一般的な構造を示す図である。
【図２】従来技術によってＯＦＤＭを採択した無線通信システムのダウンリンクフレームの一般的な構造を示す図である。
【図３】従来技術による１アンテナ、２アンテナ及び４アンテナ構成を使用するダウンリンクＣＲＳを示す図である。
【図４】従来技術による１アンテナ、２アンテナ及び４アンテナ構成を使用するダウンリンクＣＲＳを示す図である。
【図５】従来技術による１アンテナ、２アンテナ及び４アンテナ構成を使用するダウンリンクＣＲＳを示す図である。
【図６】従来技術による１アンテナ、２アンテナ及び４アンテナ構成を使用するダウンリンクＣＲＳを示す図である。
【図７】従来技術による１アンテナ、２アンテナ及び４アンテナ構成を使用するダウンリンクＣＲＳを示す図である。
【図８】従来技術による１アンテナ、２アンテナ及び４アンテナ構成を使用するダウンリンクＣＲＳを示す図である。
【図９】従来技術による１アンテナ、２アンテナ及び４アンテナ構成を使用するダウンリンクＣＲＳを示す図である。
【図１０】従来技術によってＯＦＤＭ技術を採択した無線通信システムでダウンリンクＤＲＳを示す図である。
【図１１】３ＧＰＰ（３ｒｄ  Ｇｅｎｅｒａｔｉｏｎ  ＰａｒｔｎｅｒｓｈｉｐＰｒｏｊｅｃｔ）ＴＳ（Ｔｅｃｈｎｉｃａｌ  Ｓｐｅｃｉｆｉｃａｔｉｏｎ）３６．２１２のフォーマット１Ｄと従来技術によるＤＣＩ（Ｄｏｗｎｌｉｎｋ  Ｃｏｎｔｒｏｌ  Ｉｎｆｏｒｍａｔｉｏｎ）のための一番目提案されたフォーマットを比較した図である。
【図１２】３ＧＰＰ（３ｒｄ  Ｇｅｎｅｒａｔｉｏｎ  ＰａｒｔｎｅｒｓｈｉｐＰｒｏｊｅｃｔ）ＴＳ（Ｔｅｃｈｎｉｃａｌ  Ｓｐｅｃｉｆｉｃａｔｉｏｎ）３６．２１２のフォーマット１Ｄと従来技術によるＤＣＩ（Ｄｏｗｎｌｉｎｋ  Ｃｏｎｔｒｏｌ  Ｉｎｆｏｒｍａｔｉｏｎ）のための一番目提案されたフォーマットを比較した図である。
【図１３】従来技術によって提案されたＤＣＩフォーマット１Ｅを使用して２アンテナを採択した無線通信システムで２個のダウンリンクＤＲＳを使用することを示す図である。
【図１４】従来技術による提案されたＤＣＩフォーマット１Ｅを受信した後、個別端末の動作を示す図である。
【図１５】従来技術による提案されたＤＣＩフォーマット１Ｅを受信した後、個別端末の動作を示す図である。
【図１６】従来技術によるＤＣＩに対する二番目提案されたフォーマットと３ＧＰＰ ＴＳ ３６．２１２フォーマット１Ｄを比較したものを示す図である。
【図１７】従来技術によるＤＣＩに対する二番目提案されたフォーマットと３ＧＰＰ ＴＳ ３６．２１２フォーマット１Ｄを比較したものを示す図である。
【図１８】従来技術による提案されたＤＣＩフォーマット１Ｆを受信した時、個別端末動作を示す図である。
【図１９】従来技術による提案されたＤＣＩフォーマット１Ｆを受信した時、個別端末動作を示す図である。
【図２０】従来技術によるＤＣＩに対する三番目提案されたフォーマットと３ＧＰＰ ＴＳ ３６．２１２フォーマット１Ｄを比較したものを示す図である。
【図２１】従来技術によるＤＣＩに対する三番目提案されたフォーマットと３ＧＰＰ ＴＳ ３６．２１２フォーマット１Ｄを比較したものを示す図である。
【図２２】従来技術によるＤＣＩに対する４番目提案されたフォーマットを示す図である。
【図２３】従来技術によるＤＣＩに対する５番目提案されたフォーマットと３ＧＰＰ ＴＳ ３６．２１２フォーマット１Ｄを比較したことを示す図である。
【図２４】従来技術によるＤＣＩに対する５番目提案されたフォーマットと３ＧＰＰ ＴＳ ３６．２１２フォーマット１Ｄを比較したことを示す図である。
【図２５】従来技術によるＤＣＩに対する６番目提案されたフォーマットを示す図である。
【図２６】本発明の実施例によるＦＤＭ（Ｆｒｅｑｕｅｎｃｙ  Ｄｉｖｉｓｉｏｎ  Ｍｕｌｔｉｐｌｅｘｉｎｇ）、ＴＤＭ（Ｔｉｍｅ  Ｄｉｖｉｓｉｏｎ  Ｍｕｌｔｉｐｌｅｘｉｎｇ）及びＣＤＭ（Ｃｏｄｅ  Ｄｉｖｉｓｉｏｎ  Ｍｕｌｔｉｐｌｅｘｉｎｇ）を利用するシステムのためのデュアル階層ＲＳパターンを示す図である。
【図２７】本発明の実施例によるＦＤＭ（Ｆｒｅｑｕｅｎｃｙ  Ｄｉｖｉｓｉｏｎ  Ｍｕｌｔｉｐｌｅｘｉｎｇ）、ＴＤＭ（Ｔｉｍｅ  Ｄｉｖｉｓｉｏｎ  Ｍｕｌｔｉｐｌｅｘｉｎｇ）及びＣＤＭ（Ｃｏｄｅ  Ｄｉｖｉｓｉｏｎ  Ｍｕｌｔｉｐｌｅｘｉｎｇ）を利用するシステムのためのデュアル階層ＲＳパターンを示す図である。
【図２８】本発明の実施例によるＦＤＭ（Ｆｒｅｑｕｅｎｃｙ  Ｄｉｖｉｓｉｏｎ  Ｍｕｌｔｉｐｌｅｘｉｎｇ）、ＴＤＭ（Ｔｉｍｅ  Ｄｉｖｉｓｉｏｎ  Ｍｕｌｔｉｐｌｅｘｉｎｇ）及びＣＤＭ（Ｃｏｄｅ  Ｄｉｖｉｓｉｏｎ  Ｍｕｌｔｉｐｌｅｘｉｎｇ）を利用するシステムのためのデュアル階層ＲＳパターンを示す図である。
【図２９】本発明の実施例による無線通信システムでダウンリンクＤＲＳパターンを示す図である。
【図３０】本発明の実施例による無線通信システムでダウンリンクＤＲＳパターンを示す図である。
【図３１】本発明の実施例によるハイブリッドＣＤＭ／ＦＤＭ ＤＲＳパターンを示す図である。
【図３２】本発明の実施例によるＤＣＩフォーマットを示す図である。
【図３３】本発明の実施例によるＤＣＩフォーマットを示す図である。
【図３４】本発明の実施例に他のＤＣＩフォーマットを示す図である。
【図３５】本発明の実施例に他のＤＣＩフォーマットを示す図である。
【図３６】本発明の実施例によるパワー比率γを決定する方法を示す流れ図である。
【図３７】本発明の実施例によるランク−３伝送のための２個のダウンリンクパワー制御数式の組合を示す図である。
【図３８】本発明の実施例によるランク−３伝送のための２個のダウンリンクパワー制御数式の組合を示す図である。
【図３９】本発明の実施例によるランク−３伝送のための２個のダウンリンクパワー制御数式の組合を示す図である。
【発明を実施するための形態】
【００３９】
図面全体を通じて、同一または類似の要素、構成及び構造は、同一の参照符号を利用して示していることを留意しなければならない。
【００４０】
図面及びその参照符号と一緒に提供される下記の実施例は、特許請求範囲とそれと同等なものによって定義される本発明の実施例の理解を助けるためのものである。これは、理解を助けるための多様な詳細な説明を含む。しかし、このようなものなどは、ただ実施例として見なされなければならない。したがって、本発明の属する技術分野における通常の知識を有する者なら、本発明の思想を逸脱することなく、これらを代替することができる多様な均等物と変形例があり得ることを理解することができる。また、下記の説明及び添付の図面で、本発明の要旨を不明にすることができる公知機能または構成に対する詳細な説明は省略する。
【００４１】
以下で説明される本明細書及び請求範囲に使用された用語や単語は、通常的または辞書的な意味に限定して解釈すべきものではなく、発明者は、その自分の発明を最も最善の方法で説明するために用語の概念として適切に定義することができるという原則に即して本発明の技術的思想に符合する意味と概念として解釈すべきものである。したがって、本発明の実施例による詳細な説明が添付の請求範囲及びこれと同等なものによって定義される本発明を限定するためのものではなく、ただその実施例を説明するために提供される点は、本発明の属する技術分野における通常の知識を有する者に自明であろう。
【００４２】
単数形態で使用された「１つ」、「その」、「前記」、「この」などは複数のレファレンスではないことが明確に記述されていない場合、複数のレファレンスを含むものと解釈すべきである。したがって、例えば、「コンポーネント表面」に対するレファレンスは、１つまたは１つ以上の表面を含む。
【００４３】
本発明の実施例は、基地局（ＢＳ；Ｂａｓｅ  Ｓｔａｔｉｏｎ）から制御情報が受信された時、移動端末（ＭＳ；Ｍｏｂｉｌｅ  ｓｔａｔｉｏｎ、以下、「端末」）の動作を制御するための装置及び方法を提供する。本発明の他の実施例は、基地局により端末に提供される制御情報のための改善したフォーマットを提供する。また、本発明のさらに他の実施例は、端末に制御情報を伝送するために使用されるパワーレベルを制御するための基地局による装置及び方法を提供する。
【００４４】
下記の詳細な説明は、或る移動通信技術に対する専門用語を言及することができる。しかし、これは、その専門技術について本発明を限定するものと解すべきではない。例えば、ＬＴＥ（Ｌｏｎｇ  Ｔｅｒｍ  Ｅｖｏｌｕｔｉｏｎ）通信標準と関連した用語である、ＵＥ（Ｕｓｅｒ  Ｅｑｕｉｐｍｅｎｔ）及びｅＮＢ（ｅｖｏｌｖｅｄ  ＮｏｄｅＢ）のような用語が下記の詳細な説明で使用されたとしても、これは、ただ端末（ＭＳ）及び基地局（ＢＳ）の一般的な概念について使用された特定用語に理解しなければならない。すなわち、本発明は、ＬＴＥ標準を採択した通信システムだけでなく、本発明は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｍ標準、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）フォーラム技術などを採択した通信システムのような、いずれの通信システムにも適用される。
【００４５】
本発明の実施例に関連した説明を提供する前に、本発明の多様な側面の理解を助けるために、従来技術の詳細な説明が提供される。
【００４６】
ＭＵ−ＭＩＭＯに基礎したＤＲＳ（専用レファレンス信号；Ｄｅｄｉｃａｔｅｄ  Ｒｅｆｅｒｅｎｃｅ  Ｓｉｇｎａｌｓ）の単一階層データ伝送を可能にするために、ＤＣＩ(ダウンリンク制御情報:Ｄｏｗｎｌｉｎｋ  Ｃｏｎｔｒｏｌ  Ｉｎｆｏｒｍａｔｉｏｎ)に対する修正されたフォーマットが提案されてきた。特に、２００９年２月２日、「無線通信システムで多重ユーザ多重セルＭＩＭＯ伝送（Ｍｕｌｔｉ−Ｕｓｅｒ  Ｍｕｌｔｉ−Ｃｅｌｌ  ＭＩＭＯ  Ｔｒａｎｓｍｉｓｓｉｏｎｓ  ｉｎ  Ｗｉｒｅｌｅｓｓ  Ｃｏｍｍｕｎｉｃａｔｉｏｎ  Ｓｙｓｔｅｍｓ）」という名称で米国仮出願第６１／２０６、５９７号として出願され、現在、その出願は、譲受人に譲渡された。前記出願の全体明細書が参照として本明細書に含まれ、その明細書は、その中に含まれたＭＵ−ＭＩＭＯ単一階層伝送に基礎したＤＲＳをアドレスするための（ＤＲＳの位置を知らせるための）ＤＣＩフォーマットに示す。下記で説明するように、提案されたＤＣＩフォーマットは、３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ（Ｔｅｃｈｎｉｃａｌ  Ｓｐｅｃｉｆｉｃａｔｉｏｎ）３６．２１２に記述されたＤＣＩフォーマット１Ｄと関連した修正内容を含む。
【００４７】
図１１及び図１２は、３ＧＰＰ  ＴＳ  ３６．２１２のフォーマット１Ｄと従来技術によるＤＣＩのための一番目提案されたフォーマットを比較した図である。
【００４８】
図１１を参照すれば、ＤＣＩフォーマット１Ｄは、ハイブリッド自動再伝送要請（ＨＡＲＱ；Ｈｙｂｒｉｄ  Ａｕｔｏｍａｔｉｃ  Ｒｅｐｅａｔ  ｒｅＱｕｅｓｔ）フィールド（４０３）、変調及び符号化スキーム（ＭＣＳ；Ｍｏｄｕｌａｔｉｏｎ  ａｎｄ  Ｃｏｄｉｎｇ  Ｓｃｈｅｍｅ）フィールド４０５、伝送プリコーディングマトリックス指示子（ＴＰＭＩ；Ｔｒａｎｓｍｉｔｔｅｄ  Ｐｒｅｃｏｄｉｎｇ  Ｍａｔｒｉｘ  Ｉｎｄｉｃａｔｏｒ）フィール４０７及び他のフィールド４０１を含む。図１２を参照すれば、ＤＣＩフォーマット１Ｅとして指定され、仮出願第６１／２０６、５９２で提案されたＤＣＩフォーマットは、ＨＡＲＱフィールド４１１、ＭＣＳフィールド４１３及び他のフィールド４０９を含む。ＤＣＩフォーマット１Ｄとは異なって、ＤＣＩフォーマット１Ｅは、ＴＰＭＩフィールドを含まず、関連された伝送で使用されるＤＲＳインデックス（ｉ＿ＤＲＳ）４１５に関するフィールドを紹介している。ｉ＿ＤＲＳフィールド４１５は、ＤＣＩを受信する端末によりシステムのどんなＤＲＳが使用されるかを示す。ｉ＿ＤＲＳフィールドのビット幅は、ＭＵ−ＭＩＭＯシステムが許容するＤＲＳの最大数による。最大許容ＤＲＳ数は、Ｍで示され、よって、ｉ＿ＤＲＳフィールドのビット幅は、
【００４９】
【数７】
0006618111.tif 000008
【００５０】
である。Ｍ値は、セルに定めた特定値として基地局によりシグナリングされるか、または標準で定められることができる。本発明の実施例において、Ｍ値は、放送チャネルを通じて提供される。
【００５１】
提案されたＤＣＩフォーマット１Ｅの使用は、基地局と端末により次の動作が行われる。もし、基地局により行われるデータをＲＥ(リソース要素:Ｒｅｓｏｕｒｃｅ  Ｅｌｅｍｅｎｔ)マッピングする段階で、ＤＣＩフォーマット１ＥがＭＵ−ＭＩＭＯ伝送のためにＳＡ（Ｓｃｈｅｄｕｌｉｎｇ  Ａｓｓｉｇｎｍｅｎｔ）中に基地局により使用されれば、基地局は、データをインデックスｉ＿ＤＲＳにより示されるＤＲＳ ＲＥのセットをその他のＲＥに運搬して伝送する。ＤＣＩフォーマット１Ｅを受信すれば、端末は、インデックスｉ＿ＤＲＳにより示されるＤＲＳ ＲＥのセットが同一のプリコーディングベクトルを利用してデータ階層としてプリコーディングされたものと推定し、したがって、データ階層に対する復調パイロットとして使用されるもの推定する。また、端末は、基地局データがインデックスｉ＿ＤＲＳにより示されるＤＲＳ ＲＥセットを除いたＲＥにマッピングされたものと推定する。さらに、端末は、基地局データは、伝送に使用されるＣＲＳ（Ｃｅｌｌ−ｓｐｅｃｉｆｉｃ  Ｒｅｆｅｒｅｎｃｅ  Ｓｉｇｎａｌ）以外のＲＥにマッピングされるものと推定する。次の例は、システムにより定義されるＤＲＳパターンとともにＤＣＩフォーマット１Ｅの使用に対する理解を助ける。
【００５２】
図１３は、従来技術によって提案されたＤＣＩフォーマット１Ｅを使用して２アンテナを採択した無線通信システムで２個のダウンリンクＤＲＳを使用することを示す。図１４及び図１５は、従来技術による提案されたＤＣＩフォーマット１Ｅを受信した後、個別端末の動作を示す。
【００５３】
図１３を参照すれば、これは、Ｍ＝２（例えば、システムで特定された２個のＤＲＳパターン）であり、ＲＢには、２個のＣＲＳ（例えば、ＣＲＳ１及びＣＲＳ２）があるものと仮定する。さらに、これは、２個の端末（例えば、ＭＳ＃１及びＭＳ＃２）がサブフレームでスケジュールされたものと仮定し、これは、ＭＳ＃１に対してｉ＿ＤＲＳ＝１がスケジューリングされ、その意味は、第１ＤＲＳパターン、ＤＲＳ（１）がＭＳ＃１に対して使用されることを示す。同様に、ＭＳ＃２に対してｉ＿ＤＲＳ＝２が割り当てられ、これは、第２ＤＲＳパターン、ＤＲＳ（２）がＭＳ＃２に対して使用されることを意味する。
【００５４】
図１４及び図１５を参照すれば、図１５は、ＭＳ＃２の探知を示すが、図１４は、ＭＳ＃１の探知を示した。図１４に示されたように、ＭＳ＃１は、ただＤＲＳ（１）だけをパイロットＲＥとして認識し、他のＲＥ（ＣＲＳ１、ＣＲＳ２及びＤＲＳ（１）を除いた）は、データＲＥとして認識する。同様に、図１４に示されたように、ＭＳ＃２は、ただＤＲＳ（２）だけをパイロットＲＥとして認識し、他のＲＥ（ＣＲＳ１、ＣＲＳ２及びＤＲＳ（１）を除いた）は、データＲＥとして認識する。このような接近の問題点は、ＭＳ＃１がデータをＤＲＳ（２）が発生した位置のＲＥに運搬して伝送することができることである。同様に、ＭＳ＃２がデータをＤＲＳ（１）が発生した所のＲＥに運搬して伝送することができる。端末によるこのような伝送は、いずれか１つの端末のデータＲＥと他の端末のＤＲＳとの間に干渉を発生させる。
【００５５】
図１６及び図１７は、従来技術によるＤＣＩに対する二番目提案されたフォーマットと３ＧＰＰ  ＴＳ  ３６．２１２フォーマット１Ｄを比較したものを示す。
【００５６】
図１６を参照すれば、図１６は、ＨＡＲＱフィールド７０３、ＭＣＳフィールド７０５、ＴＰＭＩフィールド７０７及び他のフィールド７０１を含むＤＣＩフォーマット１Ｄを示す。図１７を参照すれば、ＤＣＩフォーマット１Ｆとして指定され、仮出願第６１／２０６、５９７号で提案された二番目ＤＣＩフォーマットは、ＨＡＲＱフィールド７１１、ＭＣＳフィールド７１３及び他のフィールド７０９を含む。ＤＣＩフォーマット１Ｄとは異なって、ＤＣＩフォーマット１Ｆは、ＴＰＭＩフィールドを含まず、２個のフィールドを提示する。提案されたＤＣＩフォーマット１Ｅと同様に、ＤＣＩフォーマット１Ｆは、伝送に使用されるＤＲＳのインデックス（ｉ＿ＤＲＳ）を示すフィールド７１７を提供する。ｉ＿ＤＲＳフィールド７１７は、システムのＤＲＳがＤＣＩを受信する端末により使用されるためのものであるか否かを示す。ｉ＿ＤＲＳのビット幅は、ＭＵ−ＭＩＭＯシステムで許容されるＤＲＳの最大数による。許容されるＤＲＳ数の最大値は、Ｍで示され、ｉ＿ＤＲＳのビット幅＝
【００５７】
【数８】
0006618111.tif 000009
【００５８】
である。Ｍの値は、セル特定値で基地局によりシグナリングされるか、または、標準で定められることができる。本発明の実施例では、Ｍ値は、放送チャネルを通じて提供される。
【００５９】
また、提案されたＤＣＩフォーマット１Ｆは、スケジュールされた帯域でＤＲＳの総数（Ｎ＿ＤＲＳ）を示すフィールド７１５を提示する。さらに詳細には、Ｎ＿ＤＲＳフィールドは、スケジュールされたバンドでＤＲＳの総数を示す。これは、いずれか特定サブフレーム内の同一の帯域でスケジューリングされたこの端末と他の端末に対して使用されるＤＲＳを含む。また、Ｎ−ＤＲＳフィールドのビット幅は、
【００６０】
【数９】
0006618111.tif 000010
【００６１】
であり、Ｎ＿ＤＲＳの値の範囲は、１以上Ｍ以下（１≦Ｎ＿ＤＲＳ≦Ｍ）である。
【００６２】
端末がＮ＿ＤＲＳ及びｉ＿ＤＲＳを受信すれば、ＤＲＳセット（例えば、ＤＲＳ（１）、ＤＲＳ（２）、…、ＤＲＳ（Ｎ＿ＤＲＳ））がこのサブフレームで多重のユーザにデータ伝送のために使用されたものと予想することができる。追加に、端末は、ＤＲＳ（ｉ＿ＤＲＳ）を自分のデータを復調するためにレファレンス信号として使用することができることを予測する。
【００６３】
さらに詳細には、提案されたＤＣＩフォーマット１Ｆの使用によって基地局及び端末により次の動作が行われる。端末は、ｉ＿ＤＲＳにより示されるＤＲＳ ＲＥは、同一のプリコーディングベクトルを利用してデータ階層にプリコーディングされたものと推定し、したがって、データ階層に対する復調パイロットとして使用されることができるものと推定する。追加に、ＤＣＩフォーマット１ＦがＭＵ−ＭＩＭＯ伝送のためにＳＡ中に基地局により使用されれば、基地局伝送のＲＥマッピング過程でデータ内のＤＲＳ ＲＥを防止する観点から、これは、少なくとも３個の代案がある。
【００６４】
代案１で、基地局は、ＤＲＳ（１）〜ＤＲＳ（Ｎ＿ＤＲＳ）により示されるＤＲＳ ＲＥセットを除いたＲＥにデータを伝送する。端末で、端末は、基地局データがＤＲＳ（１）〜ＤＲＳ（Ｎ＿ＤＲＳ）により示されるＤＲＳ ＲＥセットを除いたＲＥにマッピングされたものと推定する。
【００６５】
代案２で、ＤＣＩフォーマット１Ｄの伝送に対する動作と同様に、基地局は、インデックスｉ＿ＤＲＳにより示されるＤＲＳ ＲＥセットを除いたＲＥでデータを伝送する。端末で、端末は、インデックスｉ＿ＤＲＳにより示されるＤＲＳ ＲＥセットを除いたＲＥにデータがマッピングされたものと推定する。
【００６６】
代案３で、端末は、セル特定または端末特定スイッチを受信する。これは、高い階層で使用する基地局により構成され、ＤＲＳ＿ｒｅｇｉｏｎ＿ｓｗｉｔｃｈで示される。この場合、もし、ＤＲＳ＿ｒｅｇｉｏｎ＿ｓｗｉｔｃｈ＝０なら、端末は、基地局データがＤＲＳ（１）〜ＤＲＳ（Ｎ＿ＤＲＳ）セットにより示されるＤＲＳ ＲＥセットを除いたＲＥにマッピングされたものと推定する。他の観点で、もし、ＤＲＳ＿ｒｅｇｉｏｎ＿ｓｗｉｔｃｈ＝１なら、端末は、基地局データがインデックスＤＲＳ（ｉ＿ＤＲＳ）により示されるＤＲＳ ＲＥセットを除いたＲＥにマッピングされたものと推定する。ＤＣＩフォーマット１Ｆの使用に対する理解を助けるための一例が提供される。
【００６７】
図１８及び図１９は、従来技術による提案されたＤＣＩフォーマット１Ｆを受信した時、個別端末動作を示す。
【００６８】
さらに図１３を参照すれば、Ｍ＝２であり、ＲＢに２個のＤＲＳパターン及び２個のＣＲＳパターンが使用されたと仮定する。データをＲＥにマッピングする接近の代案１が基地局により使用されたと仮定する。さらに、２個の端末（例えば、ＭＳ＃１及びＭＳ＃２）がサブフレームでスケジューリングされたものと仮定し、ＭＳ＃１に対して、Ｎ＿ＤＲＳ＝２及びｉ＿ＤＲＳ＝１のようにスケジューリングされ、これは、第１ＤＲＳパターン、ＤＲＳ（１）がＭＳ＃１に対して使用されることを意味する。また、ＭＳ＃２に対して、Ｎ＿ＤＲＳ＝２及びｉ＿ＤＲＳ＝２のような場合、これは、第２ＤＲＳパターン、ＤＲＳ（２）がＭＳ＃１に対して使用されることを意味する。
【００６９】
図１８を参照すれば、ＭＳ＃１はただＤＲＳ（１）だけをパイロットＲＥとして認識する。そして、ＭＳ＃１は、（ＣＲＳ１、ＣＲＳ２、ＤＲＳ（１）及びＤＲＳ（２）を除いた）他のＲＥをデータＲＥとして認識する。図１９を参照すれば、ＭＳ＃２は、ただＤＲＳ（２）だけをパイロットＲＥとして認識する。そして、ＭＳ＃１は、（ＣＲＳ１、ＣＲＳ２、ＤＲＳ（１）及びＤＲＳ（２）を除いた）他のＲＥをデータＲＥとして認識する。図１４及び図１５に示された接近と比較すれば、このような接近は、いずれか１つのＭＳのＤＲＳ及び他のＭＳのデータによって発生する干渉を経験しない。
【００７０】
図２０及び図２１は、従来技術によるＤＣＩに対する三番目提案されたフォーマットと３ＧＰＰ ＴＳ ３６．２１２フォーマット１Ｄを比較したものを示す。図２２は、従来技術によるＤＣＩに対する４番目提案されたフォーマットを示す。
【００７１】
図２０を参照すれば、ＤＣＩフォーマット１Ｄは、ＨＡＲＱフィールド９０３、ＭＣＳフィールド９０５、ＴＰＭＩフィールド９０７及び他のフィールド９０１を含む。図２１を参照すれば、ＤＣＩフォーマット１Ｇとして指定され、仮出願第６１／２０６、５９７号で提案された３番目ＤＣＩフォーマットは、ＨＡＲＱフィールド９１１、ＭＣＳフィールド９１３及び他のフィールド９０９を含む。ＤＣＩフォーマット１Ｄとは異なって、ＤＣＩフォーマット１Ｇは、ＴＰＭＩフィールドを含まず、２個のフィールドを提示する。提案されたＤＣＩフォーマット１Ｅと同様に、ＤＣＩフォーマット１Ｇは、適切な伝送に使用されるＤＲＳのインデックス（ｉ＿ＤＲＳ）を示すフィールド９１７を提示する。ｉ＿ＤＲＳフィールド９１７は、システムのＤＲＳがＤＣＩを受信する端末により使用されるためのものであるか否かを示す。ｉ＿ＤＲＳのビット幅は、ＭＵ−ＭＩＭＯシステムで許容されるＤＲＳの最大数による。許容されるＤＲＳ数の最大値は、Ｍで示され、ｉ＿ＤＲＳのビット幅＝
【００７２】
【数１０】
0006618111.tif 000011
【００７３】
である。Ｍの値は、セル特定値で基地局によりシグナリングされるか、または、標準で定められることができる。本発明の実施例では、Ｍ値は、放送チャネルを通じて提供される。
【００７４】
また、提案されたＤＣＩフォーマット１Ｇは、端末に対する適切な伝送で階層の数（Ｎ＿Ｌ）を示すフィールド９１５を提示する。したがって、提案されたフォーマット１Ｇの使用によって、基地局は、どれだけ多い階層がデータ伝送のために使用されるか（１）、そして、このような階層に対して対応するＤＲＳ（２）を伝達する。さらに、ＤＣＩフォーマット１Ｇで、伝送に使用される階層の数に関係なく、１つのコードワードが基地局から端末に伝送されると仮定する。
【００７５】
ＤＣＩフォーマット１Ｇが、もし、ＳＡ中にＭＵ−ＭＩＭＯ伝送のために基地局により使用されれば、データをＲＥにマッピングする過程で、基地局は、連続されたＤＲＳパターン（ＤＲＳ（ｉ＿ＤＲＳ）、…、ＤＲＳ（ｉ＿ＤＲＳ＋Ｎ＿Ｌ））のセットにより示されるＤＲＳ ＲＥセットを除いたＲＥでデータを伝送する。このような伝送を受信すれば、端末は、ＤＲＳ（ｉ＿ＤＲＳ）により示されるＲＥのセットが同一のプリコーディングベクトルを利用してデータ階層＃１としてプリコーディングされたものと推定し、したがって、データ階層＃１に対する復調パイロットとして使用されることができるものと推定する。同様に、ＤＲＳ（ｉ＿ＤＲＳ＋１）は、階層＃２などの復調のために使用され、ＤＲＳ（ｉ＿ＤＲＳ＋Ｎ＿Ｌ）は、階層＃Ｎ＿Ｌの復調のために使用される。また、端末は、基地局データがインデックスＤＲＳ（ｉ＿ＤＲＳ）〜ＤＲＳ（ｉ＿ＤＲＳ＋Ｎ＿Ｌ）（ＤＲＳ（ｉ＿ＤＲＳ）、…、ＤＲＳ（ｉ＿ＤＲＳ＋Ｎ＿Ｌ））により示されるＤＲＳ ＲＥのセットを除いたＲＥにマッピングされたものと推定する。
【００７６】
図２２を参照すれば、２個のコードワードまでＭＵ−ＭＩＭＯで使用されれば、フォーマット１Ｇの変形として、ＤＣＩフォーマット２Ｇは、仮出願第６１／２０６、５９７号で提案される。図２２に示されたように、提案されたＤＣＩフォーマット２Ｇは、ＨＡＲＱフィールド１００３、Ｎ＿Ｌフィールド１００９、ｉ＿ＤＲＳフィールド１０１１及び他のフィールド１００１を含む。Ｎ＿Ｌフィールド１００９及びｉ＿ＤＲＳフィールド１０１１は、ＤＣＩフォーマット１Ｇで提案されたものと非常に類似している。しかし、図２２に示されたように、各々２個のコードワードに連関され、各々与えられた伝送ブロック（ＴＢ；Ｔｒａｎｓｐｏｒｔ  Ｂｌｏｃｋ）に対応する、２セットのＭＣＳフィールド１００５及び１００７がある。
【００７７】
図２３及び図２４は、従来技術によるＤＣＩに対する５番目提案されたフォーマットと３ＧＰＰ ＴＳ ３６．２１２フォーマット１Ｄを比較したものを示す。図２５は、従来技術によるＤＣＩに対する６番目提案されたフォーマットを示す。
【００７８】
図２３を参照すれば、ＤＣＩフォーマット１Ｄは、ＨＡＲＱフィールド１１０３、ＭＣＳフィールド１１０５、ＴＰＭＩフィールド１１０７及び他のフィールド１１０１を含む。図２４を参照すれば、ＤＣＩフォーマット１Ｈとして指定され、仮出願第６１／２０６、５９７号で提案された５番目ＤＣＩフォーマットは、ＨＡＲＱフィールド１１１１、ＭＣＳフィールド１１１３及び他のフィールド９０９を含む。ＤＣＩフォーマット１Ｄとは異なって、ＤＣＩフォーマット１Ｈは、ＴＰＭＩフィールドを含まず、３個のフィールドを提示する。提案されたＤＣＩフォーマット１Ｅ、１Ｆ及び１Ｇと同様に、ＤＣＩフォーマット１Ｈは、伝送に使用されるＤＲＳのインデックス（ｉ＿ＤＲＳ）を示すフィールド１１１９を提示する。ｉ＿ＤＲＳフィールド１１１９は、システムのＤＲＳがＤＣＩを受信する端末により使用されるためのものであるか否かを示す。ｉ＿ＤＲＳフィールド１１１９のビット幅は、ＭＵ−ＭＩＭＯシステムで許容されるＤＲＳの最大数による。許容されるＤＲＳ数の最大値は、Ｍで示され、ｉ＿ＤＲＳのビット幅は、
【００７９】
【数１１】
0006618111.tif 000012
【００８０】
である。Ｍの値は、セル特定値で基地局によりシグナリングされるか、または、標準で定められることができる。本発明の実施例では、Ｍ値は、放送チャネルを通じて提供される。
【００８１】
また、提案されたＤＣＩフォーマット１Ｈは、端末に対する伝送で階層の数（Ｎ＿Ｌ）を示すフィールド１１１５を提示し、スケジュールされた帯域でＤＲＳ（Ｎ＿ＤＲＳ）の総数を示すフィールド１１１７を提示する。さらに詳細には、Ｎ＿ＤＲＳフィールド１１１７は、スケジュールされたバンドでＤＲＳの総数を示し、これは、特定サブフレーム内の同一の帯域でスケジューリングされた他の端末とこの端末のために使用されるＤＲＳを含む。Ｎ＿ＤＲＳフィールド１１１７のビット幅は、
【００８２】
【数１２】
0006618111.tif 000013
【００８３】
であり、Ｎ＿ＤＲＳの値の範囲は、１以上Ｍ以下（１≦Ｎ＿ＤＲＳ≦Ｍ）である。
【００８４】
ＤＣＩフォーマット１Ｈで、伝送に使用された階層の数に関係なく、１つのコードワードが基地局から端末に伝送されるものと仮定する。
【００８５】
もし、ＤＣＩフォーマット１ＨがＳＡ中にＭＵ−ＭＩＭＯ伝送のために、基地局により使用されれば、端末は、ＤＲＳ（ｉ＿ＤＲＳ）によって示すＲＥのセットは、同一のプリコーディングベクトルを利用してデータ階層＃１としてプリコーディングされたものと推定することができ、したがって、データ階層＃１に対する復調パイロットとして使用されることができるものと推定することができる。同様に、ＤＲＳ（ｉ＿ＤＲＳ＋１）は、階層＃２などの復調のために使用され、ＤＲＳ（ｉ＿ＤＲＳ＋Ｎ＿Ｌ）は、階層＃Ｎ＿Ｌの復調のために使用される。追加に、基地局伝送中に、データをＲＥにマッピングする過程でＤＲＳ ＲＥがマッピングされることを防止する観点から、これは、少なくとも３個の代案がある。
【００８６】
代案１で、基地局は、ＤＲＳ（１）〜ＤＲＳ（Ｎ＿ＤＲＳ）により示されるＤＲＳ ＲＥセットを除いたＲＥにデータを伝送する。端末は、基地局データがＤＲＳ（１）〜ＤＲＳ（Ｎ＿ＤＲＳ）により示されるＤＲＳ ＲＥセットを除いたＲＥにマッピングされたものと推定する。
【００８７】
代案２で、ＤＣＩフォーマット１Ｇの伝送に対する動作と同様に、基地局は、ＤＲＳ（ｉ＿ＤＲＳ）、…、ＤＲＳ（ｉ＿ＤＲＳ＋Ｎ＿Ｌ）セットにより示されるＤＲＳ ＲＥセットを除いたＲＥでデータを伝送する。端末は、ＤＲＳ（ｉ＿ＤＲＳ）、…、ＤＲＳ（ｉ＿ＤＲＳ＋Ｎ＿Ｌ）セットにより示されるＤＲＳ ＲＥセットを除いたＲＥに基地局データがマッピングされたものと推定する。
【００８８】
代案３で、端末は、セル特定または端末特定スイッチを受信する。これは、高い階層で使用する基地局により構成され、ＤＲＳ＿ｒｅｇｉｏｎ＿ｓｗｉｔｃｈで示される。もし、ＤＲＳ＿ｒｅｇｉｏｎ＿ｓｗｉｔｃｈ＝０なら、端末は、基地局データがＤＲＳ（１）、…、ＤＲＳ（Ｎ＿ＤＲＳ）セットにより示されるＤＲＳ ＲＥセットを除いたＲＥにマッピングされたものと推定する。他の観点で、もし、ＤＲＳ＿ｒｅｇｉｏｎ＿ｓｗｉｔｃｈ＝１なら、端末は、基地局データがインデックスセットＤＲＳ（ｉ＿ＤＲＳ）、…、ＤＲＳ（ｉ＿ＤＲＳ＋Ｎ＿Ｌ）により示されるＤＲＳ ＲＥセットを除いたＲＥにマッピングされたものと推定する。
【００８９】
図２５を参照すれば、２個のコードワードまでＭＵ−ＭＩＭＯで使用されれば、フォーマット１Ｈの変形として、ＤＣＩフォーマット２Ｈが仮出願第６１／２０６、５９７号で提案される。図２５に示されたように、提案されたＤＣＩフォーマット２Ｈは、ＨＡＲＱフィールド１２０３、Ｎ＿Ｌフィールド１２０９、Ｎ＿ＤＲＳフィールド１２１１、ｉ＿ＤＲＳフィールド１２１３及び他のフィールド１２０１を含む。Ｎ＿Ｌフィールド１２０９、Ｎ＿ＤＲＳフィールド１２１１、及びｉ＿ＤＲＳフィールド１２１３は、ＤＣＩフォーマット１Ｈで提案されたものと非常に同様である。しかし、図２５に示されたように、各々与えられた伝送ブロック（ＴＢ、Ｔｒａｎｓｐｏｒｔ  Ｂｌｏｃｋ）に対応する、２セットのＭＣＳフィールド１２０５及び１２０７がある。
【００９０】
第１実施例
【００９１】
本発明の第１実施例で、ＤＣＩフォーマット１Ｅの使用のための代案的な方法が提供される。さらに詳細には、ＭＵ−ＭＩＭＯ伝送モードで端末が構成される時、基地局がＤＣＩフォーマット１ＥをＳＡのために使用する場合に対する代案的な基地局−端末の動作が提供される。例示的な具現で、無線通信システムでＤＲＳパターンのための周波数分割多重化（ＦＤＭ；Ｆｒｅｑｕｅｎｃｙ  Ｄｉｖｉｓｉｏｎ  Ｍｕｌｔｉｐｌｅｘｉｎｇ）が使用される。他の例示的な具現で、コード分割多重化（ＣＤＭ；Ｃｏｄｅ  Ｄｉｖｉｓｉｏｎ  Ｍｕｌｔｉｐｌｅｘｉｎｇ）がＤＲＳパターンのために使用される。
【００９２】
図２６〜図２８は、本発明の実施例によるＦＤＭ、ＴＤＭ及びＣＤＭを利用するシステムのためのデュアル階層ＲＳパターンを示す。
【００９３】
図２６を参照すれば、ＴＤＭ信号を利用するシステムのためのＲＳパターンが示された。図２７を参照すれば、ＴＤＭ／ＦＤＭ信号を利用するシステムのためのＲＳパターンが示された。図２８を参照すれば、ＣＤＭ信号を利用するシステムのためのＲＳパターンが示された。
【００９４】
ＤＣＩフォーマット１ＥがＭＵ−ＭＩＭＯ伝送のためにＳＡ中に基地局により使用されれば、基地局により行われるデータをＲＥにマッピングする過程で、基地局は、すべてのＭ ＤＲＳ ＲＥのセット以外のＲＥにデータを伝送する。その伝送を受信すれば、端末は、ｉ＿ＤＲＳにより示されるＤＲＳ ＲＥセットは、同一のプリコーディングベクトルを利用してデータ階層としてプリコーディングされたものと推定し、しだかって、データ階層に対する復調パイロットとして使用されるものと推定する。また、端末は、基地局データがすべてのＭ ＤＲＳによって使用されるもの以外のＲＥにマッピングされるものと推定する。ここで、Ｍは、半−静的に上位階層により示されるＤＲＳの最大数である。このような方法の例示的な具現が下記で説明される。
【００９５】
図２９及び図３０は、本発明の実施例による無線通信システムでダウンリンクＤＲＳパターンを示す。
【００９６】
図２９を参照すれば、ＭＳ＃１は、ただＤＲＳ（１）だけをパイロットＲＥとして認識する。しかし、ＭＳ＃１によって認識されるデータＲＥは、ＤＲＳ（１）及びＤＲＳ（２）の両方を遮断する。図３０を参照すれば、ＭＳ＃２は、ただＤＲＳ（２）だけをパイロットＲＥとして認識する。しかし、ＭＳ＃１によって認識されるデータＲＥは、任意のＣＲＳと同様に、ＤＲＳ（１）及びＤＲＳ（２）の両方を遮断する。図２９の示された例で、図８Ａ及び８Ｂの従来技術で示されたものと類似の結果を有するようにＤＲＳの最大数（Ｍ）は２である。しかし、図２９及び図３０の例示的な具現は、図１８及び図１９の提案されたＤＣＩフォーマット１ＦよりはＤＣＩフォーマット１Ｅの使用を示す。前述したように、ＤＣＩフォーマット１Ｅは、ＤＣＩフォーマット１Ｆで要求されるもののようなＮ＿ＤＲＳフィールドを含まず、したがって、ＤＣＩフォーマット１Ｆの追加オーバーヘッドが要求されない。さらに、ＤＲＳ ＲＥの最大数Ｍによって使用されるものを除いたすべてのＲＥにデータをマッピングすることを推定することによって、端末は、データをさらに効果的に受信し、復調することができる。
【００９７】
例示的な具現で、無線通信システムは、図２８に示されたものと類似なＣＤＭ ＤＲＳパターンを採択することができる。もし、そのようなＣＤＭパターンが適用されれば、ＤＲＳ（１）及びＤＲＳ（２）がいずれも同一のＲＥセットを使用する。この例で、Ｍ＝２なので、ＤＲＳ（１）及びＤＲＳ（２）がいずれもコード分割多重化（ＣＤＭｅｄ）される。したがって、端末及び基地局の動作は、端末がチャネル推定を決定するための逆拡散（ｄｅ−ｓｐｒｅａｄｉｎｇ）の追加過程を処理するための要求を除いて前述したものと非常に同一である。これを成就するために、ＤＣＩフォーマット１Ｅで、ＣＤＭ ＤＲＳ（またはハイブリッドＣＤＭ／ＦＤＭ（ＤＲＳ））の場合、ｉ＿ＤＲＳが基地局により使用されるワルシコード（Ｗａｌｓｈ  ｃｏｄｅ）の拡散を示し、また、ｉ＿ＤＲＳフィールドは、相変らずＤＲＳのインデックスを示すために使用されるものを言及する。特に、ＣＤＭまたはハイブリッドＣＤＭ／ＦＤＭスキームが使用される場合には、ＤＲＳ位置と拡散コードを示すためにｉ＿ＤＲＳを使用することは、ＤＣＩフォーマット１Ｅ、１Ｆ、１Ｇ、２Ｇ、１Ｈ及び２Ｈのうちいずれかに対しても可能である。
【００９８】
本発明の実施例によれば、ＤＣＩフォーマット１Ｅは、ＭＵ−ＭＩＭＯ伝送のためにＳＡ中に基地局により使用される。そして、すべてのＭ ＤＲＳは、図２８に示されたようなＣＤＭパターンを利用する。伝送する間に、基地局により行われるデータをＲＥにマッピングする動作で、基地局は、ＤＲＳ ＲＥの全体セットを除いたＲＥでデータを伝送する。したがって、端末は、ＤＲＳが同一のプリコーディングベクトルを利用してデータ階層としてプリコーディングされたものと推定し、ｉ＿ＤＲＳにより示されるワルシインデックスによるリソースで拡散するものと推定する。さらに、端末は、基地局データがＭ ＤＲＳセット全体によって使用されるものなどを除いたＲＥにマッピングされたものと推定する。ここで、Ｍは、半−静的に上位階層により示されるＤＲＳの最大数である。
【００９９】
第２実施例
【０１００】
本発明の第２実施例で、ハイブリッドＣＤＭ／ＦＤＭ ＤＲＳパターンの場合、ＤＣＩフォーマット１Ｆを使用するための代案的な方法が提供される。
【０１０１】
図３１は、本発明の実施例によるハイブリッドＣＤＭ／ＦＤＭ ＤＲＳパターンを示す。
【０１０２】
図３１を参照すれば、ＤＲＳ（１）及びＤＲＳ（２）は、長さ２のワルシ拡散を利用した第１ＲＥセットを同一に共有する。一方、ＤＲＳ（３）及びＤＲＳ（４）は、長さ２のワルシ拡散を利用した第２ＲＥセットを同一に共有する。
【０１０３】
本発明による例示的な実施例で、端末は、ｉ＿ＤＲＳにより示されるＤＲＳ ＲＥが同一のプリコーディングベクトルを利用してデータ階層としてプリコーディングされたものと推定し、したがって、データ階層に対する復調パイロットとして使用することができるものと推定する。また、基地局により行われるデータをＲＥにマッピングする過程で、ＤＲＳ ＲＥを避けるための観点で、基地局は、ＤＲＳ（１）、…、ＤＲＳ（Ｎ＿ＤＲＳ）により示されるＤＲＳ ＲＥセットを除いたＲＥにデータを伝送する。基地局から伝送を受信すれば、端末は、基地局データがＤＲＳ（１）、…、ＤＲＳ（Ｎ＿ＤＲＳ）セットにより示されるＤＲＳ ＲＥセットを除いたＲＥにマッピングされたものと推定する。
【０１０４】
さらに、ハイブリッドＣＤＭ／ＦＤＭとして推定されるので、ＤＣＩフォーマット１Ｆのｉ＿ＤＲＳは、ｉ＿ＤＲＳを拡散するために基地局により使用される拡散ワルシコードを示す。
【０１０５】
他の実施例によれば、４個の端末が基地局によりスケジューリングされ、各端末は、ランク−１伝送を有することが考慮される。図３１のＤＲＳパターンは、システムによって使用されるものと仮定する。このような場合、ＭＳ＃１〜ＭＳ＃４は、次の動作を行う。
【０１０６】
１）各端末は、データＲＥがＣＲＳまたはＤＲＳ ＲＥを含まないものと推定する。
【０１０７】
２）ＭＳ＃１及びＭＳ＃２のために、第１ＤＲＳセットが復調のために使用される。ＭＳ＃１は、第１ＤＲＳセットの逆拡散のためにワルシコード［１、１］を使用する。一方、ＭＳ＃２は、第１ＤＲＳセットの逆拡散のためにオラシコード［１、−１］を使用する。
【０１０８】
３）ＭＳ＃３及びＭＳ＃４のために、第２ＤＲＳセットが復調のために使用される。ＭＳ＃３は、第２ＤＲＳセットの逆拡散のためにワルシコード［１、１］を使用する。一方、ＭＳ＃４は、第２ＤＲＳセットの逆拡散のためにオラシコード［１、−１］を使用する。
【０１０９】
第３実施例
【０１１０】
図３２及び図３３は本発明の実施例によるＤＣＩフォーマットを示す。
【０１１１】
図３２を参照すれば、ＨＡＲＱフィールド１６０３、ＭＣＳフィールド１６０５、Ｎ＿ＤＲＳフィールド１６０７、ｉ＿ＤＲＳフィールド１６０９及び他のフィールド１６０１を含むＤＣＩフォーマット１Ｆが示された。図３３を参照すれば、ＤＣＩフォーマット１Ｆ＿ａとして指定され、本発明の実施例によるＤＣＩフォーマットは、ＨＡＲＱフィールド１６１３、ＭＣＳフィールド１６１５、ｉ＿ＤＲＳフィールド１６１９及び他のフィールド１６１１を含む。ＤＣＩフォーマット１Ｆとは異なって、ＤＣＩフォーマット１Ｆ＿ａは、Ｎ＿ＤＲＳフィールドを含まず、新しいフィールドを提示する。さらに詳細には、ＤＣＩフォーマット１Ｆ＿ａで、ＤＣＩフォーマット１Ｆで提案されたＮ＿ＤＲＳフィールドは、サブフレームの伝送で使用されるＤＲＳセットの総数（Ｎ＿ＳＥＴ）を示すフィールド（１６１７）に代替される。
【０１１２】
ＤＣＩフォーマット１Ｆ＿ａを利用した例示的な具現によれば、各々のセットで、ＣＤＭは、多重Ｎ＿ＳＦＤＲＳに対して使用される。ここで、Ｎ＿ＳＦは、拡散長さを示す。図３１に示されたようなハイブリッドＣＤＭ／ＦＤＭ ＤＲＳパターンのために、Ｎ＿ＳＥＴフィールドを利用することは、Ｎ＿ＤＲＳフィールドを使用することに比べてＤＣＩフォーマット１Ｆ＿ａで使用されるビット数の減少をもたらす。例えば、図３１に示されたように、ただ、Ｎ＿ＳＥＴの２個の状態が必要である。すなわち、Ｎ＿ＳＥＴは、Ｎ＿ＳＥＴ＝１（第１ＤＲＳセットを示すのに使用）の状態またはＮ＿ＳＥＴ＝２（ＤＲＳセット２個を共に示すのに使用）の状態を有することができる。なぜなら、ただ２個の状態があるので、状態重要度は、ＤＣＩフォーマット１Ｆ−ａでただ単一ビットに反映される。一方、ＤＣＩフォーマット１ＦのＮ＿ＤＲＳフィールドは、必ず４個の可能な状態（例えば、Ｎ＿ＤＲＳ＝１、２、３、４）を反映しなければならない。これは、ＤＣＩフォーマット１ＦでＮ＿ＤＲＳ状態重要度を反映するために２ビットが要求される。したがって、ＤＣＩフォーマット１Ｆ＿ａの使用は、制御情報を伝送する時、オーバーヘッドを低減することができる。
【０１１３】
代案的な実施例で、１Ｈ及び２Ｈのような他のＤＣＩフォーマットは、Ｎ＿ＤＲＳフィールドを本発明のＮ＿ＳＥＴフィールドに交替することができる。
【０１１４】
第４実施例
【０１１５】
図３４及び図３５は、本発明の実施例によるＤＣＩフォーマットを示す。
【０１１６】
図３４を参照すれば、ＭＣＳフィールド１７０３、ＴＰＭＩ（Ｔｒａｎｓｍｉｔｔｅｄ  Ｐｒｅｃｏｄｉｎｇ  Ｍａｔｒｉｘ  Ｉｎｄｉｃａｔｏｒ）フィールド１７０５、ダウンリンクパワーオフセットフィールド１７０７及び他のフィールド１７０１を含むＤＣＩフォーマット１Ｄが示された。図３５を参照すれば、ＤＣＩフォーマット１Ｆ＿ｂとして指定された本発明の実施例によるＤＣＩフォーマットは、ＭＣＳフィールド１７１１、ダウンリンクパワーオフセットフィールド１７１５及び他のフィールド１７０９を含む。ＤＣＩフォーマット１Ｄとは異なって、ＤＣＩフォーマット１Ｆ＿ｂは、ＴＰＭＩフィールドを含まず、伝送で使用されるＤＲＳ（ｉ＿ＤＲＳ）インデックスに対するフィールド１７１３を提示する。ｉ＿ＤＲＳフィールド１７１３は、ＤＣＩフォーマット１Ｅ、１Ｆ及び１Ｇで提案されたレファレンスのように前述したｉ＿ＤＲＳフィールドと同様である。ｉ＿ＤＲＳフィールド１７１３のビット幅は、ＭＵ−ＭＩＭＯで許容されたＤＲＳの最大数による。最大許容ＤＲＳ数は、Ｍで示され、Ｍ値は、セルに定めた特定値で基地局によりシグナリングされるか、または、標準で定められることができる。したがって、ｉ＿ＤＲＳフィールド１７１３のビット幅は、
【０１１７】
【数１３】
0006618111.tif 000014
【０１１８】
である。
【０１１９】
図３５を参照すれば、ＤＣＩフォーマット１Ｆ＿ｂは、ＭＵ−ＭＩＭＯモードで２個のＭＳまで支援のために設計される。さらに詳細には、ＤＣＩフォーマット１Ｆ＿ｂは、伝送に使用されるＤＲＳの総数を示すＤＣＩフォーマット１Ｄで設立される「ダウンリンクパワーオフセット」のフィールドに使用される。すなわち、ＤＣＩフォーマット１Ｆ＿ｂは、ＤＣＩフォーマット１ＦでＮ＿ＤＲＳフィールドを利用することの必要を除去するために「ダウンリンクパワーオフセット」のフィールドを使用する。
【０１２０】
表１は、フォーマット１Ｆ＿ｂでＤＲＳの数とパワーオフセットを共に示すために存在する「ダウンリンクパワーオフセット」フィールドの使用を示す。
【０１２１】
【表１】
0006618111.tif 000015
【０１２２】
例示的な具現によれば、パワーオフセット及びＤＲＳの数を連帯して示すためのダウンリンクパワーオフセットフィールドを基地局及び端末の両方が使用する追加過程を除外すれば、ＤＣＩフォーマット１Ｆ＿ｂを使用する時の基地局及び端末の動作は、ＤＣＩフォーマット１Ｆを使用する時と非常に同一である。
【０１２３】
さらに詳細には、端末がダウンリンクパワーオフセット及びｉ＿ＤＲＳを受信すれば、ダウンリンクパワーオフセット値に基礎してサブフレームで使用される関連されたＤＲＳの数を決定する。端末は、ＤＲＳセット（例えば、ＤＲＳ（１）、ＤＲＳ（２）、…、ＤＲＳ（Ｎ＿ＤＲＳ））がサブフレーム内で多重のユーザに対するデータ伝送に使用されたものと予測する。追加に、端末は、ＤＲＳ（ｉ＿ＤＲＳ）が自分のデータを復調するためのレファレンス信号として使用されるものと予測する。また、端末は、ｉ＿ＤＲＳにより示されるＤＲＳ ＲＥが同一のプリコーディングベクトルを利用してデータ階層としてプリコーディングされたものと推定する。したがって、ｉ＿ＤＲＳにより示されるＤＲＳ ＲＥがデータ階層に対する復調パイロットとして使用されることができるものと推定する。
【０１２４】
ダウンリンクパワーオフセットフィールドを利用すれば、基地局は、ダウンリンクパワーオフセット値に基礎してサブフレーム内で使用されるＤＲＳの関連された数（例えば、Ｎ＿ＤＲＳ）を決定する。Ｎ＿ＤＲＳがＳＡ中にＭＵ−ＭＩＭＯ伝送のためのダウンリンクパワーオフセットフィールドに基礎して決定されれば、基地局伝送のデータをＲＥにマッピングする過程でＤＲＳ ＲＥを回避するための観点によれば、少なくとも３個の代案が存在する。
【０１２５】
代案１で、基地局は、ＤＲＳ（１）、…、ＤＲＳ（Ｎ＿ＤＲＳ）により示されるＤＲＳ ＲＥセットを除いたＲＥにデータを伝送する。端末で、端末は、基地局データがＤＲＳ（１）、…、ＤＲＳ（Ｎ＿ＤＲＳ）セットにより示されるＤＲＳ ＲＥセットを除いたＲＥにマッピングされたものと推定する。
【０１２６】
代案２で、ＤＣＩフォーマット１Ｄの伝送に対する動作と同様に、基地局は、インデックスｉ＿ＤＲＳにより示されるＤＲＳ ＲＥセットを除いたＲＥでデータを伝送する。端末で、端末は、インデックスｉ＿ＤＲＳにより示されるＤＲＳ ＲＥセットを除いたＲＥにデータがマッピングされたものと推定する。
【０１２７】
代案３で、端末は、セル特定または端末特定スイッチを受信する。これは、高い階層で使用する基地局により構成され、ＤＲＳ＿ｒｅｇｉｏｎ＿ｓｗｉｔｃｈで示される。この場合、もし、ＤＲＳ＿ｒｅｇｉｏｎ＿ｓｗｉｔｃｈ＝０なら、端末は、基地局データがＤＲＳ（１）〜ＤＲＳ（Ｎ＿ＤＲＳ）セットにより示されるＤＲＳ ＲＥセットを除いたＲＥにマッピングされたものと推定する。他の観点で、もし、ＤＲＳ＿ｒｅｇｉｏｎ＿ｓｗｉｔｃｈ＝１なら、端末は、基地局データがインデックスＤＲＳ（ｉ＿ＤＲＳ）により示されるＤＲＳ ＲＥセットを除いたＲＥにマッピングされたものと推定する。
【０１２８】
第５実施例
【０１２９】
本発明の実施例で、ダウンリンクパワーを制御するための向上した方法が提供される。
【０１３０】
３ＧＰＰ ＴＳ ３６．２１３のセクション５．２は、発展した無線通信システムで物理階層に対するダウンリンクパワー割当をアドレスする。このセクションは、本発明の実施例の理解を助けるための背景を提供するものと言及する。
【０１３１】
セクション５．２に前述したように、基地局は、ＲＥ当たりダウンリンク伝送エネルギーを決定する。端末は、他のＣＲＳパワー情報を受信するまで、ダウンリンクセル特定ＲＳリソース要素当たりエネルギー（ＥＰＲＥ、Ｅｎｅｒｇｙ  Ｐｅｒ  Ｒｅｓｏｕｒｃｅ  Ｅｌｅｍｅｎｔ）は、ダウンリンクシステム帯域にわたって均等であり、モードサブフレームにわたって均等なものと推定する。ダウンリンクレファレンス信号ＥＰＲＥは、上位階層で提供されるパラメーターレファレンス−信号−パワーによって与えられるダウンリンクレファレンスシグナル伝送パワーから得られる。ダウンリンクレファレンス信号伝送パワーは、運営システム帯域内でＣＲＳを運搬するすべてのリソース要素のパワー分配（［Ｗ］で）にわたった線形平均として定義される。
【０１３２】
各ＯＦＤＭシンボルに対するＰＤＳＣＨ  ＲＥのうちＣＲＳ  ＥＰＲＥに対するＰＤＳＣＨＥＰＲＥの比率（ＰＤＳＣＨ  ＲＥに０  ＥＰＲＥを適用することはできない）は、表５．２−２（本発明の実施例で、表２として再現される）によって与えられるＯＦＤＭシンボルインデックスによってρAまたはρBのうちいずれか１つにより示される。追加に、ρA及びρBは、端末に特定される。
【０１３３】
【表２】
0006618111.tif 000016
【０１３４】
端末は、１６ＱＡＭ（Ｑｕａｄｒａｔｕｒｅ  Ａｍｐｌｉｔｕｄｅ  Ｍｏｄｕｌａｔｉｏｎ）、６４ＱＡＭ、少なくとも１つの階層の空間多重化に対して、またはＭＵ−ＭＩＭＯ伝送スキームに関連されたＰＤＳＣＨ伝送に対して、端末が３ＧＰＰ ＴＳ ３６．２１１のセクション６．３．４．３による４個のセル特定アンテナポートによる伝送ダイバシティのためのプリコーディングを利用するＰＤＳＣＨデータ伝送を受信した時、ρAは、
【０１３５】
【数１４】
0006618111.tif 000017
【０１３６】
［ｄＢ］と同一のものと推定し、そうではなければ、ρAは、
【０１３７】
【数１５】
0006618111.tif 000018
【０１３８】
［ｄＢ］と同一のものと推定することができる。ここで、ＭＵ−ＭＩＭＯを除いたすべてのＰＤＳＣＨ伝送スキームに対して
【０１３９】
【数１６】
0006618111.tif 000019
【０１４０】
は、０ｄＢであり、ＰAは、上位階層によって提供される端末特定パラメータである。
【０１４１】
もし、ＤＲＳがＲＢで提供されれば、各ＯＦＤＭシンボルに対してＤＲＳ ＥＰＲＥに対するＰＤＳＣＨ ＥＰＲＥの比率は同一である。追加に、端末は、１６ＱＡＭまたは６４ＱＡＭｄｐに対してこの比率は、０ｄＢであると推定する。
【０１４２】
セル特定比率ρB/ρAは、上位階層によってシグナリングされるセル特定パラメータＰB及び構成された基地局セル特定アンテナポートの数による表５．２−１（本発明の実施例では表３）によって与えられる。
【０１４３】
【表３】
0006618111.tif 000020
【０１４４】
１６ＱＡＭまたは６４ＱＡＭのＰＭＣＨに対して、端末はＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）ＲＳ ＥＰＲＥに対するＰＭＣＨ ＥＰＲＥの比率は、０ｄＢと同一のものと推定する。
【０１４５】
３ＧＰＰ ＴＳ ３６．２１３のセクション７．１．５は、ＭＵ−ＭＩＭＯスキームを利用したシステムでＰＤＳＣＨを受信するための手続をアドレスする。
【０１４６】
ＰＤＳＣＨの多重ユーザＭＩＭＯ伝送スキームに対して、セクション７．１．５で言及したように、端末は、ＰＤＳＣＨを通じた基地局伝送は、３ＧＰＰ ＴＳ ３６．２１１のセクション６．３．４．２．１によって、１つの階層で行われるものと推定する。ダウンリンクパワーオフセットフィールドを利用するＤＣＩフォーマット１ＤのＰＤＣＣＨを通じてシグナリングされた
【０１４７】
【数１７】
0006618111.tif 000021
【０１４８】
ｄＢ値は、表７．１．５−１（本発明の実施例では表４）で与えられる。
【０１４９】
【表４】
0006618111.tif 000022
【０１５０】
３ＧＰＰ ＴＳ ３６．２１３のセクション７．１．５セクション５．２に対する前述した論議に示されたように、
【０１５１】
【数１８】
0006618111.tif 000023
【０１５２】
の値は、「ダウンリンクパワーオフセット」フィールドの値によって０または−１０ｌｏｇ１０（２）のうち１つとして定められる。本発明の第５実施例で、
【０１５３】
【数１９】
0006618111.tif 000024
【０１５４】
の値を決定するための代案的な方法が提供される。さらに詳細に、
【０１５５】
【数２０】
0006618111.tif 000025
【０１５６】
の値は、次のように定められる。
【０１５７】
【数２１】
0006618111.tif 000026
【０１５８】
数式１で、Ｎ＿ＤＲＳは、スケジュールされた帯域でＤＲＳの総数を示す。数式１を使用することによって、
【０１５９】
【数２２】
0006618111.tif 000027
【０１６０】
の値は、スケジュールされた帯域に３個以上のＤＲＳがある状況をさらに正確に反映する。例示的な具現で、数式１は、ＭＵ−ＭＩＭＯのためにＤＲＳの総数（これは、対応する階層の総数である）が含まれるいずれのＤＣＩフォーマットに対しても使用される。例えば、数式１は、ＤＣＩフォーマット１Ｆ、１Ｈ、２Ｈなどに使用される。ここで、Ｎ＿ＤＲＳまたはＮ＿Ｌフィールドが提供される。
【０１６１】
第６実施例
【０１６２】
本発明の実施例で、γとして示されるデータＲＥ（階層当たり）及びＤＲＳ ＲＥ（階層当たり）間のパワー比率に対する関係が提供される。下記で証明するように、パワー比率γは、すべての変調に適用可能であり、特に、１６ＱＡＭ及び６４ＱＡＭに適用することができる。さらに、パワー比率γは、単一ユーザ（ＳＵ、Ｓｉｎｇｌｅ  Ｕｓｅｒ）−ＭＩＭＯ及びＭＵ−ＭＩＭＯ動作の両方に適用することができる。
【０１６３】
図３６は、本発明の実施例によるパワー比率を決定する方法を示す流れ図である。
【０１６４】
図３６を参照すれば、１８０１段階で、端末はＤＲＳシグナリングのために使用された多重化方法を決定する。すなわち、端末は、ＴＤＭまたはＦＤＭが使用されたか、ＣＤＭが使用されたか、ＴＤＭまたはＦＤＭと一緒にハイブリッドＣＤＭが使用されたかを決定する。もし１８０１段階で、ＤＲＳシグナリングのためにＴＤＭまたはＦＤＭが使用されたものと判断されれば、端末は、１８０３段階に進行し、Ｎ＿ＤＲＳを把握することができるか否かを判断する。すなわち、端末は、Ｎ＿ＤＲＳフィールドが基地局から受信されたシグナリングで提供されるか否かを判断する。もし、端末が１８０３段階でＮ＿ＤＲＳを把握することができるものと判断すれば、端末は、１８０５段階に進行し、パワー比率を
【０１６５】
【数２３】
0006618111.tif 000028
【０１６６】
に設定する。一方、端末が１８０３段階でＮ＿ＤＲＳの値を把握することができないものと判断すれば、端末は、１８０７段階に進行し、Ｍ値を把握することができるか否かを判断する。すなわち、端末は、ＤＣＩシグナリングで基地局からＭ値が提供されるか、またはそうではないかを判断する。１８０７段階で、Ｍの値を把握することができると判断すれば、端末は、１８０９段階に進行し、パワー比率を
【０１６７】
【数２４】
0006618111.tif 000029
【０１６８】
に設定する。一方、１８０７段階で、端末がＭの値を把握することができなければ、端末は、１８１１段階に進行し、パワー比率をγ［ｄＢ］＝０ｄＢに設定する。代案的な実施例の具現で、Ｎ＿ＤＲＳ及びＭの値が知られているにもかかわらず、基地局は、パワー比率をγ［ｄＢ］＝０ｄＢに設定することができる。このような場合、基地局は、端末にパワー比率γ［ｄＢ］＝０ｄＢに関連された情報を提供することが好ましい。
【０１６９】
１８０１段階で、ＤＲＳシグナリングが純粋ＣＤＭを利用して作られたものと判断すれば、すなわち、すべてのＤＲＳが同一のＲＥセットで、コード分割多重化された（ＣＤＭｅｄ）ものと判断されれば、端末は、１８１１段階に進行し、パワー比率をγ［ｄＢ］＝０ｄＢに設定する。
【０１７０】
最後に、１８０１段階で、ＤＲＳシグナリングが例えば、図３１に示されたように、ハイブリッドＣＤＭとＦＤＭまたはＴＤＭのうち１つを利用して作られたものと判断されれば、端末は、１８１３段階に進行し、Ｎ＿ＤＲＳを把握することができるか否かを判断する。すなわち、端末は、基地局から受信されたシグナリングでＮ＿ＤＲＳフィールドが提供されるか否かを判断する。もし、１８１３段階で、Ｎ＿ＤＲＳの値を把握することができるものと判断されれば、端末は、パワー比率を
【０１７１】
【数２５】
0006618111.tif 000030
【０１７２】
に設定する。ここで、Ｎ＿ＳＦは、ワルシコード拡散長さである。一方、１８１３段階で、Ｎ＿ＤＲＳ値を把握することができないものと判断されれば、端末は、１８１７段階に進行し、Ｎ＿ＳＥＴ値を把握することができるか否かを判断する。Ｎ＿ＳＥＴ値が端末に知られれば、端末は、１８０９段階に進行し、パワー比率を
【０１７３】
【数２６】
0006618111.tif 000031
【０１７４】
に設定する。ここで、Ｎ＿ＳＥＴは、前述したように、コード分割多重化された（ＣＤＭｅｄ）セットの数である。一方、Ｎ＿ＳＥＴ値を把握することができなければ、端末は、１８１１段階に進行し、パワー比率をγ［ｄＢ］＝０ｄＢに設定する。代案的な実施例の具現で、Ｎ＿ＤＲＳ及びＮ＿ＳＥＴの値を知られているにもかかわらず、基地局は、パワー比率をγ［ｄＢ］＝０ｄＢに設定することができる。このような場合、基地局は、端末にパワー比率γ［ｄＢ］＝０ｄＢに関連された情報を提供することが好ましい。下記で説明されるさらに他の実施例の具現で、奇数ランクの伝送に対して、パワー比率γ［ｄＢ］を決定するために２個の数式の組合が使用されることができる。
【０１７５】
図３７及び図３９は、本発明の実施例によるランク−３伝送のための２個のダウンリンクパワー制御数式の組合を示す。
【０１７６】
図３７を参照すれば、２個の階層（Ｌ０及びＬ１）が割り当てられた第１ＣＤＭ ＤＲＳセット及び１つの階層（Ｌ２）が割り当てられた第２ＣＤＭ ＤＲＳが示された。階層の他の番号の使用は、各レベルのＣＤＭ ＤＲＳに対する他のパワー割当を許容する。これは、順に同一でないエラー保護を許容する。例えば、図３７に示されたように、第２ＣＤＭ ＤＲＳの階層（Ｌ２）がＰのＥＰＲＥ値に割り当らされる一方、第１ＣＤＭ ＤＲＳの各階層（Ｌ０及びＬ１）がＰ／２のＥＰＲＥ値に割り当てられる。例示的な具現で、第２ＣＤＭ ＤＲＳセットの単一階層（Ｌ２）が数式
【０１７７】
【数２７】
0006618111.tif 000032
【０１７８】
を使用する一方、数式
【０１７９】
【数２８】
0006618111.tif 000033
【０１８０】
によって第１ＣＤＭ ＤＲＳの２個の階層（Ｌ０及びＬ１）が割り当てられる。図３８に示されたように、第２ＣＤＭ ＤＲＳがＰ／２のＥＰＲＥに割り当てられた２階層（Ｌ１及びＬ２）を含む一方、第１ＣＤＭ ＤＲＳはＰのＥＰＲＥに割り当てられた単一階層（Ｌ０）を含むことができる。図３７の例と同様に、第１ＣＤＭ ＤＲＳの単一階層（Ｌ０）が数式
【０１８１】
【数２９】
0006618111.tif 000034
【０１８２】
を利用する一方、第２ＣＤＭ ＤＲＳの２個の階層（Ｌ１及びＬ２）に数式
【０１８３】
【数３０】
0006618111.tif 000035
【０１８４】
によるパワーが割り当てられる。最後に、図３９に示されたように、ＣＤＭ ＤＲＳは、３個の階層（Ｌ０、Ｌ１及びＬ２）が割り当てられる。各階層は、Ｐ／３のＥＰＲＥ値が割り当てられる。
【０１８５】
追加に、ＤＣＩフォーマットでＮ＿ＤＲＳまたはＮ＿ＳＥＴがパワーオフセットを示すための目的に使用されれば、存在するフィールド「ダウンリンクパワーオフセット」は、除去されることができる。
【０１８６】
本明細書と図面には、レファレンスとともに本発明の好ましい実施例に対して説明し開示したが、ここに開示された実施例以外にも添付の特許請求範囲及びこれと同等なものによって定義される本発明の技術的思想に基づく他の変形例が実施可能であることは、本発明の属する技術分野における通常の知識を有する者に自明である。
【符号の説明】
【０１８７】
ＤＲＳ      専用レファレンス信号：Ｄｅｄｉｃａｔｅｄ  Ｒｅｆｅｒｅｎｃｅ  Ｓｉｇｎａｌｓ
ＲＥ        リソース要素：Ｒｅｓｏｕｒｃｅ  Ｅｌｅｍｅｎｔ
ＤＣＩ      ダウンリンク制御情報：Ｄｏｗｎｌｉｎｋ  Ｃｏｎｔｒｏｌ  Ｉｎｆｏｒｍａｔｉｏｎ
ＴＤＭ      時分割多重化
ＦＤＭ      周波数分割多重化
ＰＤＳＣＨ  ダウンリンク共有チャネル
【図１】
0006618111.tif 000041
【図２】
0006618111.tif 000042
【図３】
0006618111.tif 000043
【図４】
0006618111.tif 000044
【図５】
0006618111.tif 000045
【図６】
0006618111.tif 000046
【図７】
0006618111.tif 000047
【図８】
0006618111.tif 000048
【図９】
0006618111.tif 000049
【図１０】
0006618111.tif 000050
【図１１】
0006618111.tif 000051
【図１２】
0006618111.tif 000052
【図１３】
0006618111.tif 000053
【図１４】
0006618111.tif 000054
【図１５】
0006618111.tif 000055
【図１６】
0006618111.tif 000056
【図１７】
0006618111.tif 000057
【図１８】
0006618111.tif 000058
【図１９】
0006618111.tif 000059
【図２０】
0006618111.tif 000060
【図２１】
0006618111.tif 000061
【図２２】
0006618111.tif 000062
【図２３】
0006618111.tif 000063
【図２４】
0006618111.tif 000064
【図２５】
0006618111.tif 000065
【図２６】
0006618111.tif 000066
【図２７】
0006618111.tif 000067
【図２８】
0006618111.tif 000068
【図２９】
0006618111.tif 000069
【図３０】
0006618111.tif 000070
【図３１】
0006618111.tif 000071
【図３２】
0006618111.tif 000072
【図３３】
0006618111.tif 000073
【図３４】
0006618111.tif 000074
【図３５】
0006618111.tif 000075
【図３６】
0006618111.tif 000076
【図３７】
0006618111.tif 000077
【図３８】
0006618111.tif 000078
【図３９】
0006618111.tif 000079